(57)【要約】      （修正有）【課題】挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。例えば、施錠を片手で簡便に行うことができることが望まれるが、構造が複雑になったり、予め自転車などに取り付ける手間が発生したり、施錠方法の自由度を奪うことになったりしないことも同時に望まれる。【解決手段】挟持具にスマートに錠機構を内蔵する。【選択図】 図２
2007211569.tif 000002
【特許請求の範囲】
【請求項１】
第１アームと第２アームの一端にそれぞれ第１挟み部と第２挟み部、他端にそれぞれ第１指掛部と第２指掛部を有し、前記第１アームと前記第２アームの略中央部にそれぞれ前記第１指掛部と前記第２指掛部を握ることで前記第１挟み部と前記第２挟み部が開くように第１回転中心と第２回転中心が設けられ、前記第１アーム上に第１作用部、前記第２アーム上の前記第２挟み部と前記第２回転中心の間に第４挟み部を有し、前記第１挟み部と前記第２挟み部が閉じる方向に付勢する第１付勢部材とを備えた第１挟持体と、
第３アームの一端に第３挟み部を有し、前記第２アーム上に前記第３アームの第３回転中心が設けられ、前記第３アーム上に第３作用部を有し、前記第３挟み部と前記第４挟み部が閉じる方向に付勢する第２付勢部材を備えた第２挟持体と、
からなり、
前記第１作用部が前記第３作用部を押すことはできても引くことはできない、あるいは引くことはできても押すことはできない、挟持具。
【請求項２】
第１アームと第２アームの一端にそれぞれ第１挟み部と第２挟み部、他端にそれぞれ第１指掛部と第２指掛部を有し、前記第１アームと前記第２アームの略中央部にそれぞれ前記第１指掛部と前記第２指掛部を握ることで前記第１挟み部と前記第２挟み部が開くように第１回転中心と第２回転中心が設けられ、前記第１アーム上と前記第２アーム上にそれぞれ第１作用部と第２作用部を有し、前記第１挟み部と前記第２挟み部が閉じる方向に付勢する第１付勢部材とを備えた第１挟持体と、
第３アームと第４アームの一端にそれぞれ第３挟み部と第４挟み部を有し、前記第３アームの第３回転中心が前記第２アーム上に、前記第４アームの第４回転中心が前記第１アーム上にそれぞれ設けられ、前記第３アーム上と前記第４アーム上にそれぞれ第３作用部と第４作用部を有し、前記第３挟み部と前記第４挟み部が閉じる方向に付勢する第２付勢部材を備えた第２挟持体と、
からなり、
前記第１作用部と前記第２作用部がそれぞれ前記第３作用部と前記第４作用部を押すことはできても引くことはできない、あるいは引くことはできても押すことはできない、挟持具。
【請求項３】
前記第１挟み部と前記第２挟み部の対、
前記第３挟み部と前記第４挟み部の対、
の少なくとも一対が閉じた状態を維持できる、少なくとも１つの錠機構を備える、
請求項１から請求項２のいずれかに記載の挟持具。
【請求項４】
前記錠機構は、
前記第１回転中心と同一中心上、
前記第２回転中心と同一中心上、
前記第３回転中心と同一中心上、
前記第４回転中心と同一中心上、
の少なくとも１つの前記同一中心上に設けられるシリンダ錠である、
請求項３に記載の挟持具。
【請求項５】
第１アームと第２アームの一端にそれぞれ第１挟み部と第２挟み部、他端にそれぞれ第１指掛部と第２指掛部を有し、前記第１アームと前記第２アームの略中央部にそれぞれ前記第１指掛部と前記第２指掛部を握ることで前記第１挟み部と前記第２挟み部が開くように第１回転中心と第２回転中心が設けられ、前記第１挟み部と前記第２挟み部が閉じる方向に付勢する第１付勢部材とを備えた第１挟持体と、
前記第１挟み部と前記第２挟み部の対が閉じた状態を維持できる、少なくとも１つの錠機構を備える、挟持具。
【請求項６】
前記錠機構は、前記第１挟み部に錠本体、前記第２挟み部に係止部材を備え、前記錠本体は内部に移動可能な係止片が設けられており、前記係止片により前記錠本体に挿入される前記係止部材が係止可能となる、
請求項５に記載の挟持具。
【請求項７】
前記錠機構は、シリンダ錠の外筒に前記第２アームが固定され、前記第１アームが前記シリンダ錠と一対となる鍵によって前記第１回転中心と同一中心上で回転可能となる前記シリンダ錠の内筒に固定されるものである、
請求項５に記載の挟持具。
【請求項８】
前記錠機構は、シリンダ錠の外筒に前記第２アームが固定され、前記第１アームが前記外筒上の前記第１回転中心と同一中心上で回転可能である係止部材に固定され、前記シリンダ錠と一対となる鍵によって回転可能となる前記シリンダ錠の内筒の回転角度に応じて前記係止部材を回転不能に係止可能な係止片を有するものである、
請求項５に記載の挟持具。
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心が設けられ、握ることをやめると付勢部材によって挟み部が閉じられる構造のものが多い。
【０００３】
これらの挟持具は、被挟持部材のサイズが小さすぎれば挟持時にガタをもって動いてしまうし、被挟持部材が大きすぎれば挟み部が開いたままで挟持具が抜け落ちやすくなる。これらの欠点を解消するために例えば、特許文献１のように一対のアームの中間に新たにアームを設けて裏表にそれぞれ、挟み部が完全に閉じない前提の側と、閉じる前提の側を設けて使い分ける考案や、特許文献２のように挟み部に二種類の被挟持部材のサイズに対応するための溝を設ける考案がある。
【０００４】
【特許文献１】実開平５−０８２２５３号公報
【特許文献２】実登３０６１３８７号公報
【０００５】
また、施錠装置においては、ワイヤーを被施錠部材に通してから係止するものや、アルファベットのユーの字状の部材に被施錠部材を通してから係止されるもの等がある。
【０００６】
これらの施錠装置は、施錠を片手で簡便に行うことができるとはいい難いが、自転車に取り付けられる馬蹄形錠や、特許文献３のように自転車に取り付けてロッドによって遠隔操作するものや、特許文献４のように施錠の電動化を前提としたようなものなど、施錠を片手で簡便に行う為のアイデアがある。
【０００７】
【特許文献３】実開平５−０８６７７９号公報
【特許文献４】特開２００１−１７１５７２号公報
【発明の開示】
【発明が解決しようとする課題】
【０００８】
挟持具においては、指掛部を一握りするだけで挟み部が開き、握るのをやめるだけで挟み部が付勢部材によって閉じられるという簡便な機能を維持しながら、被挟持部材のサイズが小さくても挟持時にガタつきにくく、被挟持部材が大きくても挟み部が開いたままになりにくいという特徴を併せ持つことが望まれる。
【０００９】
また、悪意ある第三者によって、被挟持部材や挟持具が盗難にあいにくいことが望まれる。しかし、盗難にあいにくいようにされた複雑な施錠手順ではなく、簡単な施錠手順が望まれる。
【００１０】
例えば、施錠を片手で簡便に行うことができることが望まれるが、構造が複雑になったり、予め自転車などに取り付ける手間が発生したり、施錠方法の自由度を奪うことになったりしないことも同時に望まれる。
【００１１】
また、盗難防止に優れた挟持具が使用されていることを悪意ある第三者にアピールする為に、挟持具自身が見えやすいところにとどまり、正義のメッセージ等を伝えることが望まれる。
【００１２】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【課題を解決するための手段】
【００１３】
発明１に係る挟持具は、例えば図１あるいは図３のように、
アーム１とアーム２の一端にそれぞれ挟み部１１と挟み部１２、他端にそれぞれ指掛部１５と指掛部１６を有し、アーム１とアーム２の略中央部にそれぞれ指掛部１５と指掛部１６を握ることで挟み部１１と挟み部１２が開くように回転中心５と回転中心６が設けられ、アーム１上に作用部１７、アーム２上の挟み部１２と回転中心６の間に挟み部１４を有し、挟み部１１と挟み部１２が閉じる方向に付勢する付勢部材９とを備えた第１挟持体と、
アーム３の一端に挟み部１３を有し、アーム２上にアーム３の回転中心７が設けられ、アーム３上に作用部１９を有し、挟み部１３と挟み部１４が閉じる方向に付勢する付勢部材１０を備えた第２挟持体と、
からなり、
作用部１７が作用部１９を押すことはできても引くことはできない、あるいは引くことはできても押すことはできない、挟持具である。
【００１４】
発明２に係る挟持具は、例えば図２のように、
アーム１とアーム２の一端にそれぞれ挟み部１１と挟み部１２、他端にそれぞれ指掛部１５と指掛部１６を有し、アーム１とアーム２の略中央部にそれぞれ指掛部１５と指掛部１６を握ることで挟み部１１と挟み部１２が開くように回転中心５と回転中心６が設けられ、アーム１上とアーム２上にそれぞれ作用部１７と作用部１８を有し、挟み部１１と挟み部１２が閉じる方向に付勢する付勢部材９とを備えた第１挟持体と、
アーム３とアーム４の一端にそれぞれ挟み部１３と挟み部１４を有し、アーム３の回転中心７がアーム２上に、アーム４の回転中心８がアーム１上にそれぞれ設けられ、アーム３上とアーム４上にそれぞれ作用部１９と作用部２０を有し、挟み部１３と挟み部１４が閉じる方向に付勢する付勢部材１０を備えた第２挟持体と、
からなり、
作用部１７と作用部１８がそれぞれ作用部１９と作用部２０を押すことはできても引くことはできない、あるいは引くことはできても押すことはできない、挟持具である。
【００１５】
発明３に係る挟持具は、発明１から発明２のいずれかの挟持具において、例えば図１から図３の、
挟み部１１と挟み部１２の対、
挟み部１３と挟み部１４の対、
の少なくとも一対が閉じた状態を維持できる、少なくとも１つの錠機構を備える。
【００１６】
発明４に係る挟持具は、発明３の挟持具において、
前記錠機構は、例えば図１から図３の、
回転中心５と同一中心上、
回転中心６と同一中心上、
回転中心７と同一中心上、
回転中心８と同一中心上、
の少なくとも１つの前記同一中心上に設けられる、例えば図４のようなシリンダ錠である。
【００１７】
発明５に係る挟持具は、例えば図５及び図６のように、
アーム１とアーム２の一端にそれぞれ挟み部１１と挟み部１２、他端にそれぞれ指掛部１５と指掛部１６を有し、アーム１とアーム２の略中央部にそれぞれ指掛部１５と指掛部１６を握ることで挟み部１１と挟み部１２が開くように回転中心５と回転中心６が設けられ、挟み部１１と挟み部１２が閉じる方向に付勢する付勢部材９とを備えた第１挟持体と、
挟み部１１と挟み部１２の対が閉じた状態を維持できる、少なくとも１つの錠機構を備える、挟持具である。
【００１８】
発明６に係る挟持具は、発明５の挟持具において、
前記錠機構は、例えば、挟み部１１に錠本体、挟み部１２に係止部材を備え、前記錠本体は内部に移動可能な係止片が設けられており、前記係止片により前記錠本体に挿入される前記係止部材が係止可能となる、錠機構である。
【００１９】
発明７に係る挟持具は、発明５の挟持具において、
前記錠機構は、例えば図５のように、
シリンダ錠の外筒２５にアーム２が固定され、アーム１が前記シリンダ錠と一対となる鍵３０によって回転中心５と同一中心上で回転可能となる前記シリンダ錠の内筒２４に固定されるものである。
【００２０】
発明８に係る挟持具は、発明５の挟持具において、
前記錠機構は、例えば図７のように、
シリンダ錠の外筒２５にアーム２が固定され、アーム１が外筒２５上の回転中心５と同一中心上で回転可能である係止部材３１に固定され、前記シリンダ錠と一対となる鍵３０によって回転可能となる前記シリンダ錠の内筒２４の回転角度に応じて係止部材３１を回転不能に係止可能な係止片３２を有するものである。
【発明の効果】
【００２１】
以上のように本発明１及び本発明２では、指掛部１５と指掛部１６を一握りするだけで、挟み部１１と挟み部１２の対と、挟み部１３と挟み部１４の対の両対が開き、握るのをやめるだけで閉じるという簡便さを維持しながら被挟持部材２１を、挟み部１１と挟み部１２の対、挟み部１３と挟み部１４の対の一方でガタなく保持し、他方を完全に閉じることが可能となる。
【００２２】
また、指掛部１５と指掛部１６の握り量に対する、挟み部１３と挟み部１４の開き量を増減させることが可能であり、より大きな被挟持部材２１を効率よく挟み込むことができる。
【００２３】
さらに本発明３によると、被挟持部材２１や本発明の挟持具が盗難にあいにくくなる。
【００２４】
さらに本発明４によると、シリンダ錠を軸として使用可能になり、構造の単純化によるコストダウンやデザイン性、防塵構造による高耐久性等が得られる。
【００２５】
また、本発明５によると、指掛部１５と指掛部１６を一握りするだけで、挟み部１１と挟み部１２の対が開き、握るのをやめるだけで閉じるという簡便さを維持しながら、シンプルな構造で、施錠方法の自由度も大変高い挟持具を得ることができる。
【００２６】
さらに本発明６によると、挟み部１１に直接錠本体を設けるので、アーム１及びアーム２の剛性にあまり頼ることなく、挟み部１１と挟み部１２の対をこじ開けられにくい施錠装置をもった挟持具を得ることができる。
【００２７】
さらに本発明７によると、シリンダ錠を回転中心５の軸として使用可能になり、構造の単純化によるコストダウンやデザイン性、防塵構造による高耐久性等がえられる。また挟み部１１と挟み部１２のサイズを比較的小さくできるので、自転車の車輪のスポークの隙間にアーム１とアーム２を通して施錠する場合などは、より簡便な施錠装置をもった挟持具となる。
【００２８】
さらに本発明８によると、外筒２５に対して内筒２４を回転可能にするか否かを決める、シリンダ錠内の機構の強度にあまり依存せずに、挟み部１１と挟み部１２の対をこじ開けられにくい施錠装置をもった挟持具を得ることができる。
【発明を実施するための最良の形態】
【００２９】
〔第１実施形態〕
図１、図４において、ねじったりして無理矢理挟み部１１aと挟み部１２aの対をこじ開けることが困難になるように、挟み部１１aと挟み部１２aの対に凹凸嵌合形状２２aが設けられるアーム１aとアーム２aは、鋼鉄板の打ち抜き加工後、表面をビニールコーティングされている。
また、指掛部１５aに設けられた、持ち主の氏名などを掲示可能な掲示板２９aの部分は白塗装されている。
また、シリンダ錠は鋳鉄製の本体で、鍵穴２３aに鍵を入れて回転させ施錠することで、アーム１aのリング部が圧入嵌合されたシリンダ錠の内筒２４aは回転不能となり、開錠によって回転可能となる。
また、アーム２aのリング部はシリンダ錠の外筒２５aに圧入嵌合されている。
また、アーム３aはアルファベットのエイチ形の一端にリングが２つ付いた形状の鋳鉄製で、表面はビニールコーティングされており、２つのリングがシリンダ錠の外筒２５に回転可能に挿入される。
また、アーム１aとアーム３aのリング部分は、切り欠き形状によって一方向に連動するように組まれている。
また、シリンダ錠の外筒２５に挿入された付勢部材９aと付勢部材１０aはバネ用ステンレス製のねじりコイルバネである。
【００３０】
また、ワイヤー２６aの両端に１つずつ同様の挟持具を設けて、２つの被施錠部材２１を連結することが容易となるようにされており、このワイヤー２６aは複よりのステンレス線製ワイヤーにビニールチューブを被せたもので、シリンダ錠本体にかしめられている。ワイヤー２６aの輪状部２８aは鉄製のかしめリング２７aによって形成されている。
【００３１】
また、図１１のように、アーム１iの回転中心５iとアーム２iの回転中心６iを中間体３４i上の離れた位置に設けて、アーム１iの回転角度に応じてアーム２iの回転角度を決定するギヤ機構３５iを設けるような構成も可能である。これによると、中間体３４iに大きな掲示板２９iを設けても、挟持具としての使用感をあまり損なわずに、常に見やすい位置に掲示板２９iを掲げることが可能となる。
また、中間体３４i上に、指掛部１５iと指掛部１６iの間で突っ張って施錠したり、ギヤ機構３５iに作用して施錠する等の錠機構を設置することも可能である。
【００３２】
〔第２実施形態〕
図６、図７において、ねじったりして無理矢理挟み部１１eと挟み部１２eの対をこじ開けることが困難になるように、挟み部１１eと挟み部１２eの対に凹凸嵌合形状２２eが設けられるアーム１eとアーム２eは、鋳鉄製でリング部の切削加工後、表面をビニールコーティングされている。
また、シリンダ錠はピンをタンブラにしたピンシリンダタイプであり、鋳鉄製の外筒２５eにはアーム２eのリング部が圧入嵌合されており、アーム１eのリング部が係止部材３１eに圧入嵌合されている。係止部材３１eは鋳鉄製で、外筒２５eに回転可能に挿入されてからスラスト方向に抜き取れないように鉄製のリング３６eが外筒２５eに圧入嵌合される。内筒２４eと一体に成型されたカム面３３eによって揺動する係止片３２eは打ち抜き加工された鋼鉄板で、係止片３２eの揺動の中心軸は外筒２５eと一体に成型されている。
また、外筒２５eに挿入された付勢部材９eはバネ用ステンレス製のねじりコイルバネである。
【００３３】
また、ワイヤー２６eを格子戸等に通してからアーム１e又はアーム２eを輪状部２８eに通して施錠するなど、より施錠方法の自由度が高い施錠装置を得る為に、ワイヤー２６eの一端は外筒２５eの底側にかしめられている。ワイヤー２６eは複よりのステンレス線製ワイヤーにビニールチューブを被せたもので、ワイヤー２６eの輪状部２８eはステンレス製のかしめリング２７eによって形成されている。
【００３４】
〔第３実施形態〕
第２実施形態に記載の施錠装置において、挟み部１１eに新たなシリンダ錠の外筒の底が配置され、挟み部１２eに新たな係止部材が切削成型され、前記外筒の底に開けられた穴に挿入される前記新たな係止部材に予め設けられた溝に、前記新たなシリンダ錠の内筒と一体に成型された新たな係止片が入り込むことで、前記新たな係止部材が係止可能となる。
【００３５】
〔第４実施形態〕
第２実施形態に記載の施錠装置において、図８のように内筒２４fと一体に成型されたカム面３３fによって揺動する係止片３２fは、係止部材３１fを係止する方向にはバネによる付勢で揺動し、係止が外れる方向にはカム面３３fが作用する。
【００３６】
〔第５実施形態〕
第２実施形態に記載の施錠装置において、図９のように内筒２４gと一体に成型されたカム面３３gによって揺動する係止片３２gは、係止部材３１gを係止する方向にはカム面３３gが作用し、係止が外れる方向にはバネによる付勢で揺動する。
【００３７】
〔第６実施形態〕
第２実施形態に記載の施錠装置において、図１０のように内筒２４hと一体に成型されたカム面３３hによって、係止片３２hは外筒２５hと一体に成型されたガイドに沿って直線運動する。また、係止部材３１hを係止する方向にはカム面３３hが作用し、係止が外れる方向にはバネによる付勢で戻る。
【図面の簡単な説明】
【００３８】
【図１】本発明１の動作を３段階で表す例図、その１
【図２】本発明２の動作を３段階で表す例図
【図３】本発明１の動作を３段階で表す例図、その２
【図４】本発明４の実施例図
【図５】本発明７の動作を２段階で表す例図
【図６】本発明８の実施例図
【図７】本発明８の動作を２段階で表す例図、その１
【図８】本発明８の動作を２段階で表す例図、その２
【図９】本発明８の動作を２段階で表す例図、その３
【図１０】本発明８の動作を２段階で表す例図、その４
【図１１】第１挟持体の動作を２段階で表す例図
【符号の説明】
【００３９】
１,２,３,４                            アーム
５,６,７,８                            回転中心
９,１０                              付勢部材
１１,１２,１３,１４              挟み部
１５,１６                            指掛部
１７,１８,１９,２０              作用部
２１                                   被挟持部材
２２                                   凹凸嵌合形状
２３                                   鍵穴
２４                                   内筒
２５                                   外筒
２６                                   ワイヤー
２７                                   かしめリング
２８                                   輪状部
２９                                   掲示板
３０                                   鍵
３１                                   係止部材
３２                                   係止片
３３                                   カム面
３４                                   中間体
３５                                   ギヤ機構
３６                                   リング
【図１】
2007211569.tif 000003
【図２】
2007211569.tif 000004
【図３】
2007211569.tif 000005
【図４】
2007211569.tif 000006
【図５】
2007211569.tif 000007
【図６】
2007211569.tif 000008
【図７】
2007211569.tif 000009
【図８】
2007211569.tif 000010
【図９】
2007211569.tif 000011
【図１０】
2007211569.tif 000012
【図１１】
2007211569.tif 000013
【手続補正書】
【提出日】平成18年12月17日(2006.12.17)
【手続補正１】
【補正対象書類名】特許請求の範囲
【補正対象項目名】全文
【補正方法】変更
【補正の内容】
【特許請求の範囲】
【請求項１】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構が解錠状態の際に、前記第１指掛部及び前記第２指掛部の対が近づくように握ることで前記第１挟み部及び前記第２挟み部の対が開く、
挟持具。
【請求項２】
前記錠機構は、
前記第１挟み部に設けられる錠本体と、
前記第２挟み部に設けられる係止部材と、
前記錠本体の内部で移動可能な係止片と、
を備え、
前記係止片によって前記錠本体に挿入される前記係止部材が係止可能となる、
請求項１に記載の挟持具。
【請求項３】
前記錠機構は、一対となる鍵によって外筒の内側で前記第１回転中心軸線と同心で内筒が回転可能となるシリンダ錠であり、
前記第１アーム及び前記第２アームはそれぞれ前記内筒及び前記外筒に固定される、
請求項１に記載の挟持具。
【請求項４】
前記錠機構は、
一対となる鍵によって外筒の内側で内筒が回転可能となるシリンダ錠と、
前記外筒上で前記第１回転中心軸線と同心で回転可能である係止部材と、
前記外筒に対する前記内筒の回転角度に応じて前記係止部材を少なくとも一方向に回転不能に係止可能な係止片と、
を備え、
前記第１アーム及び前記第２アームはそれぞれ前記係止部材及び前記外筒に固定され、
前記一方向とは前記第１挟み部及び前記第２挟み部の対が開く方向である、
請求項１に記載の挟持具。
【手続補正２】
【補正対象書類名】明細書
【補正対象項目名】全文
【補正方法】変更
【補正の内容】
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心軸線が設けられ、握ることをやめると付勢部材によって挟み部が閉じられる構造のものが多い。
【０００３】
また、施錠装置においては、ワイヤーを被施錠部材に通してから係止するものや、アルファベットのユーの字状の部材に被施錠部材を通してから係止されるもの等がある。これらの施錠装置は、施錠を片手で簡便に行うことができるとはいい難いが、自転車に取り付けられる馬蹄形錠や、特許文献１のように自転車に取り付けてロッドによって遠隔操作するものや、特許文献２のように施錠の電動化を前提としたようなものなど、施錠を片手で簡便に行う為のアイデアがある。
【０００４】
【特許文献１】実開平５−０８６７７９号公報
【特許文献２】特開２００１−１７１５７２号公報
【発明の開示】
【発明が解決しようとする課題】
【０００５】
挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。
【０００６】
例えば、施錠を片手で簡便に行うことができることが望まれるが、構造が複雑になったり、予め自転車などに取り付ける手間が発生したり、施錠方法の自由度を奪うことになったりしないことも同時に望まれる。
【０００７】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【課題を解決するための手段】
【０００８】
発明１に係る挟持具は、例えば図１及び図２で説明すると、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
前記錠機構が解錠状態の際に、指掛部１５及び指掛部１６の対が近づくように握ることで挟み部１１及び挟み部１２の対が開く、
挟持具である。
【０００９】
発明２に係る挟持具は、発明１の挟持具において、
前記錠機構は、
挟み部１１に設けられる錠本体と、
挟み部１２に設けられる係止部材と、
前記錠本体の内部で移動可能な係止片と、
を備え、
前記係止片によって前記錠本体に挿入される前記係止部材が係止可能となる、
挟持具である。
【００１０】
発明３に係る挟持具は、発明１の挟持具において、例えば図１のように、
前記錠機構は、一対となる鍵３０によって外筒２５の内側で回転中心軸線５と同心で内筒２４が回転可能となるシリンダ錠であり、
アーム１及びアーム２はそれぞれ内筒２４及び外筒２５に固定される、
挟持具である。
【００１１】
発明４に係る挟持具は、発明１の挟持具において、例えば図３から図６のいずれかのように、
前記錠機構は、
一対となる鍵３０によって外筒２５の内側で内筒２４が回転可能となるシリンダ錠と、
外筒２５上で回転中心軸線５と同心で回転可能である係止部材３１と、
外筒２５に対する内筒２４の回転角度に応じて係止部材３１を少なくとも一方向に回転不能に係止可能な係止片３２と、
を備え、
アーム１及びアーム２はそれぞれ係止部材３１及び外筒２５に固定され、
前記一方向とは挟み部１１及び挟み部１２の対が開く方向である、
挟持具である。
【発明の効果】
【００１２】
以上のように本発明によると、指掛部１５及び指掛部１６を一握りするだけで、挟み部１１及び挟み部１２の対が開き、握るのをやめるだけで閉じるという簡便さを維持しながら、被挟持部材や本発明の挟持具が盗難にあいにくく、シンプルな構造で、施錠方法の自由度も大変高い挟持具を得ることができる。
【００１３】
さらに発明２によると、本発明の効果に加えて、挟み部１１に直接錠本体を設けるので、アーム１及びアーム２の剛性にあまり頼ることなく、挟み部１１及び挟み部１２の対をこじ開けられにくい施錠装置をもった挟持具を得ることができる。
【００１４】
さらに発明３によると、本発明の効果に加えて、内筒２４を回転中心軸線５の軸として使用可能になり、構造の単純化によるコストダウンやデザイン性、防塵構造による高耐久性等がえられる。また挟み部１１及び挟み部１２のサイズを比較的小さくできるので、自転車の車輪のスポークの隙間にアーム１及びアーム２を通して施錠する場合などは、より簡便な施錠装置をもった挟持具となる。
【００１５】
さらに発明４によると、本発明の効果に加えて、外筒２５に対して内筒２４を回転可能にするか否かを決める、シリンダ錠内の機構の強度にあまり依存せずに、挟み部１１及び挟み部１２の対をこじ開けられにくい施錠装置をもった挟持具を得ることができる。
【発明を実施するための最良の形態】
【００１６】
〔第１実施形態〕
図７において、アーム１iの回転中心軸線５iとアーム２iの回転中心軸線６iを中間体３４i上の離れた位置に設けて、アーム１iの回転角度に応じてアーム２iの回転角度を決定するギヤ機構３５iを設けるような構成も可能である。これによると、中間体３４iに大きな掲示板２９iを設けても、挟持具としての使用感をあまり損なわずに、常に見やすい位置に掲示板２９iを掲げることが可能となる。
また、中間体３４i上に、指掛部１５iと指掛部１６iの間で突っ張って施錠する、ギヤ機構３５iに作用して施錠する、等の錠機構を設置することも可能である。
【００１７】
〔第２実施形態〕
図２及び図３において、ねじったりして無理矢理挟み部１１eと挟み部１２eの対をこじ開けることが困難になるように、挟み部１１eと挟み部１２eの対に凹凸嵌合形状２２eが設けられるアーム１eとアーム２eは、鋳鉄製でリング部の切削加工後、表面をビニールコーティングされている。
また、シリンダ錠はピンをタンブラにしたピンシリンダタイプであり、鋳鉄製の外筒２５eにはアーム２eのリング部が圧入嵌合されており、アーム１eのリング部が係止部材３１eに圧入嵌合されている。係止部材３１eは鋳鉄製で、外筒２５eに回転可能に挿入されてから回転中心軸線５e方向に抜き取れないように鉄製のリング３６eが外筒２５eに圧入嵌合される。内筒２４eと一体に成型されたカム面３３eによって揺動する係止片３２eは鋼鉄板を打ち抜き加工したもので、係止片３２eの揺動の中心軸は外筒２５eと一体に成型されている。
また、外筒２５eに挿入された付勢部材９eはバネ用ステンレス製のねじりコイルバネである。
【００１８】
また、ワイヤー２６eを格子戸等に通してからアーム１e又はアーム２eを輪状部２８eに通して施錠するなど、より施錠方法の自由度が高い施錠装置を得る為に、ワイヤー２６eの一端は外筒２５eの底側にかしめられている。ワイヤー２６eは複よりのステンレス線製ワイヤーにビニールチューブを被せたもので、ワイヤー２６eの輪状部２８eはステンレス製のかしめリング２７eによって形成されている。
【００１９】
また、ワイヤー２６eの両端に１つずつ同様の挟持具を設けて、２つの被施錠部材を連結することが容易となるようにされても良い。
【００２０】
〔第３実施形態〕
第３実施形態の挟持具は、第２実施形態に記載の挟持具において、挟み部１１eに新たなシリンダ錠の外筒の底が配置され、挟み部１２eに新たな係止部材が切削成型され、前記外筒の底に開けられた穴に挿入される前記新たな係止部材に予め設けられた溝に、前記新たなシリンダ錠の内筒と一体に成型された新たな係止片が入り込むことで、前記新たな係止部材が係止可能となる。
【００２１】
〔第４実施形態〕
第４実施形態の挟持具は、第２実施形態に記載の挟持具において、図４のように内筒２４fと一体に成型されたカム面３３fによって揺動する係止片３２fは、係止部材３１fを係止する方向にはバネによる付勢で揺動し、係止が外れる方向にはカム面３３fが作用するように変更したものである。
【００２２】
〔第５実施形態〕
第５実施形態の挟持具は、第２実施形態に記載の挟持具において、図５のように内筒２４gと一体に成型されたカム面３３gによって揺動する係止片３２gは、係止部材３１gを係止する方向にはカム面３３gが作用し、係止が外れる方向にはバネによる付勢で揺動するように変更したものである。
【００２３】
〔第６実施形態〕
第６実施形態の挟持具は、第２実施形態に記載の挟持具において、図６のように内筒２４hと一体に成型されたカム面３３hによって、係止片３２hは外筒２５hと一体に成型されたガイドに沿って直線運動する。また、係止部材３１hを係止する方向にはカム面３３hが作用し、係止が外れる方向にはバネによる付勢で戻るように変更したものである。
【図面の簡単な説明】
【００２４】
【図１】発明３の動作を２段階で表す例図
【図２】発明４の実施例図
【図３】発明４の動作を２段階で表す例図、その１
【図４】発明４の動作を２段階で表す例図、その２
【図５】発明４の動作を２段階で表す例図、その３
【図６】発明４の動作を２段階で表す例図、その４
【図７】第１実施形態の動作を２段階で表す例図
【符号の説明】
【００２５】
１,２.                                 アーム
５,６.                                  回転中心軸線
９.                                      付勢部材
１１,１２.                          挟み部
１５,１６.                          指掛部
２２.                                  凹凸嵌合形状
２３.                                  鍵穴
２４.                                  内筒
２５.                                  外筒
２６.                                  ワイヤー
２７.                                  かしめリング
２８.                                  輪状部
２９.                                  掲示板
３０.                                  鍵
３１.                                  係止部材
３２.                                  係止片
３３.                                  カム面
３４.                                  中間体
３５.                                  ギヤ機構
３６.                                  リング
【手続補正３】
【補正対象書類名】図面
【補正対象項目名】全図
【補正方法】変更
【補正の内容】
【図１】
2007211569.tif 000014
【図２】
2007211569.tif 000015
【図３】
2007211569.tif 000016
【図４】
2007211569.tif 000017
【図５】
2007211569.tif 000018
【図６】
2007211569.tif 000019
【図７】
2007211569.tif 000020
【手続補正書】
【提出日】平成18年12月17日(2006.12.17)
【手続補正１】
【補正対象書類名】特許請求の範囲
【補正対象項目名】請求項２
【補正方法】変更
【補正の内容】
【請求項２】
前記錠機構は、
前記第１挟み部に設けられる錠本体と、
前記第２挟み部に設けられる係止部と、
前記錠本体の内部で移動可能な係止片と、
を備え、
前記係止片によって前記錠本体に挿入される前記係止部が係止可能となる、
請求項１に記載の挟持具。
【手続補正２】
【補正対象書類名】明細書
【補正対象項目名】０００９
【補正方法】変更
【補正の内容】
【０００９】
発明２に係る挟持具は、発明１の挟持具において、
前記錠機構は、
挟み部１１に設けられる錠本体と、
挟み部１２に設けられる係止部と、
前記錠本体の内部で移動可能な係止片と、
を備え、
前記係止片によって前記錠本体に挿入される前記係止部が係止可能となる、
挟持具である。
【手続補正３】
【補正対象書類名】明細書
【補正対象項目名】００２０
【補正方法】変更
【補正の内容】
【００２０】
〔第３実施形態〕
第３実施形態の挟持具は、第２実施形態に記載の挟持具において、挟み部１１eに新たなシリンダ錠の外筒の底が配置され、挟み部１２eに係止部が切削成形され、前記外筒の底に開けられた穴に挿入される前記係止部に予め設けられた溝に、前記新たなシリンダ錠の内筒と一体に成型された新たな係止片が入り込むことで、前記係止部が係止可能となる。
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構が解錠状態の際に、前記第１指掛部及び前記第２指掛部の対が近づくように握ることで前記第１挟み部及び前記第２挟み部の対が開く、
挟持具。
【請求項２】
前記錠機構は、
前記第１挟み部に設けられる錠本体と、
前記第２挟み部に設けられる係止部と、
前記錠本体の内部で移動可能な係止片と、
を備え、
前記係止片によって前記錠本体に挿入される前記係止部が係止可能となる、
請求項１に記載の挟持具。
【請求項３】
前記錠機構は、一対となる鍵によって外筒の内側で前記第１回転中心軸線と同心で内筒が回転可能となるシリンダ錠であり、
前記第１アーム及び前記第２アームはそれぞれ前記内筒及び前記外筒に固定される、
請求項１に記載の挟持具。
【請求項４】
前記錠機構は、
一対となる鍵によって外筒の内側で内筒が回転可能となるシリンダ錠と、
前記シリンダ錠を通る前記第１回転中心軸線と同心で回転可能である係止部と、
前記外筒に対する前記内筒の回転角度に応じて前記係止部を少なくとも一方向に回転不能に係止可能な係止片と、
を備え、
前記第１アーム及び前記第２アームはそれぞれ前記係止部及び前記外筒に固定され、
前記一方向とは前記第１挟み部及び前記第２挟み部の対が開く方向である、
請求項１に記載の挟持具。
【手続補正２】
【補正対象書類名】明細書
【補正対象項目名】全文
【補正方法】変更
【補正の内容】
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心軸線が設けられ、握ることをやめると付勢部材によって挟み部が閉じられる構造のものが多い。
【０００３】
また、施錠装置においては、ワイヤーを被施錠部材に通してから係止するものや、アルファベットのユーの字状の部材に被施錠部材を通してから係止されるもの等がある。これらの施錠装置は、施錠を片手で簡便に行うことができるとはいい難いが、自転車に取り付けられる馬蹄形錠や、特許文献１のように自転車に取り付けてロッドによって遠隔操作するものや、特許文献２のように施錠の電動化を前提としたようなものなど、施錠を片手で簡便に行う為のアイデアがある。
【０００４】
【特許文献１】実開平５−０８６７７９号公報
【特許文献２】特開２００１−１７１５７２号公報
【発明の開示】
【発明が解決しようとする課題】
【０００５】
挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。
【０００６】
例えば、施錠を片手で簡便に行うことができることが望まれるが、構造が複雑になったり、予め自転車などに取り付ける手間が発生したり、施錠方法の自由度を奪うことになったりしないことも同時に望まれる。
【０００７】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【課題を解決するための手段】
【０００８】
発明１に係る挟持具は、例えば図１及び図２で説明すると、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
前記錠機構が解錠状態の際に、指掛部１５及び指掛部１６の対が近づくように握ることで挟み部１１及び挟み部１２の対が開く、
挟持具である。
【０００９】
発明２に係る挟持具は、発明１の挟持具において、
前記錠機構は、
挟み部１１に設けられる錠本体と、
挟み部１２に設けられる係止部と、
前記錠本体の内部で移動可能な係止片と、
を備え、
前記係止片によって前記錠本体に挿入される前記係止部が係止可能となる、
挟持具である。
【００１０】
発明３に係る挟持具は、発明１の挟持具において、例えば図１のように、
前記錠機構は、一対となる鍵３０によって外筒２５の内側で回転中心軸線５と同心で内筒２４が回転可能となるシリンダ錠であり、
アーム１及びアーム２はそれぞれ内筒２４及び外筒２５に固定される、
挟持具である。
【００１１】
発明４に係る挟持具は、発明１の挟持具において、例えば図３から図６のいずれかのように、
前記錠機構は、
一対となる鍵３０によって外筒２５の内側で内筒２４が回転可能となるシリンダ錠と、
前記シリンダ錠を通る回転中心軸線５と同心で回転可能である係止部３１と、
外筒２５に対する内筒２４の回転角度に応じて係止部３１を少なくとも一方向に回転不能に係止可能な係止片３２と、
を備え、
アーム１及びアーム２はそれぞれ係止部３１及び外筒２５に固定され、
前記一方向とは挟み部１１及び挟み部１２の対が開く方向である、
挟持具である。
【発明の効果】
【００１２】
以上のように本発明によると、指掛部１５及び指掛部１６を一握りするだけで、挟み部１１及び挟み部１２の対が開き、握るのをやめるだけで閉じるという簡便さを維持しながら、被挟持部材や本発明の挟持具が盗難にあいにくく、シンプルな構造で、施錠方法の自由度も大変高い挟持具を得ることができる。
【００１３】
さらに発明２によると、本発明の効果に加えて、挟み部１１に直接錠本体を設けるので、アーム１及びアーム２の剛性にあまり頼ることなく、挟み部１１及び挟み部１２の対をこじ開けられにくい施錠装置をもった挟持具を得ることができる。
【００１４】
さらに発明３によると、本発明の効果に加えて、内筒２４を回転中心軸線５の軸として使用可能になり、構造の単純化によるコストダウンやデザイン性、防塵構造による高耐久性等がえられる。また挟み部１１及び挟み部１２のサイズを比較的小さくできるので、自転車の車輪のスポークの隙間にアーム１及びアーム２を通して施錠する場合などは、より簡便な施錠装置をもった挟持具となる。
【００１５】
さらに発明４によると、本発明の効果に加えて、外筒２５に対して内筒２４を回転可能にするか否かを決める、シリンダ錠内の機構の強度にあまり依存せずに、挟み部１１及び挟み部１２の対をこじ開けられにくい施錠装置をもった挟持具を得ることができる。
【発明を実施するための最良の形態】
【００１６】
〔第１実施形態〕
図７において、アーム１iの回転中心軸線５iとアーム２iの回転中心軸線６iを中間体３４i上の離れた位置に設けて、アーム１iの回転角度に応じてアーム２iの回転角度を決定するギヤ機構３５iを設けるような構成も可能である。これによると、中間体３４iに大きな掲示板２９iを設けても、挟持具としての使用感をあまり損なわずに、常に見やすい位置に掲示板２９iを掲げることが可能となる。
また、中間体３４i上に、指掛部１５iと指掛部１６iの間で突っ張って施錠する、ギヤ機構３５iに作用して施錠する、等の錠機構を設置することも可能である。
【００１７】
〔第２実施形態〕
図２及び図３において、ねじったりして無理矢理挟み部１１eと挟み部１２eの対をこじ開けることが困難になるように、挟み部１１eと挟み部１２eの対に凹凸嵌合形状２２eが設けられるアーム１eとアーム２eは、鋳鉄製でリング部の切削加工後、表面をビニールコーティングされている。
また、シリンダ錠はピンをタンブラにしたピンシリンダタイプであり、鋳鉄製の外筒２５eにはアーム２eのリング部が圧入嵌合されており、アーム１eのリング部が係止部３１eに圧入嵌合されている。係止部３１eは鋳鉄製で、外筒２５eに回転可能に挿入されてから回転中心軸線５e方向に抜き取れないように鉄製のリング３６eが外筒２５eに圧入嵌合される。内筒２４eと一体に成型されたカム面３３eによって揺動する係止片３２eは鋼鉄板を打ち抜き加工したもので、係止片３２eの揺動の中心軸は外筒２５eと一体に成型されている。
また、外筒２５eに挿入された付勢部材９eはバネ用ステンレス製のねじりコイルバネである。
【００１８】
また、ワイヤー２６eを格子戸等に通してからアーム１e又はアーム２eを輪状部２８eに通して施錠するなど、より施錠方法の自由度が高い施錠装置を得る為に、ワイヤー２６eの一端は外筒２５eの底側にかしめられている。ワイヤー２６eは複よりのステンレス線製ワイヤーにビニールチューブを被せたもので、ワイヤー２６eの輪状部２８eはステンレス製のかしめリング２７eによって形成されている。
【００１９】
また、ワイヤー２６eの両端に１つずつ同様の挟持具を設けて、２つの被施錠部材を連結することが容易となるようにされても良い。
【００２０】
〔第３実施形態〕
第３実施形態の挟持具は、第２実施形態に記載の挟持具において、挟み部１１eに新たなシリンダ錠の外筒の底が配置され、挟み部１２eに係止部が切削成形され、前記外筒の底に開けられた穴に挿入される前記係止部に予め設けられた溝に、前記新たなシリンダ錠の内筒と一体に成型された新たな係止片が入り込むことで、前記係止部が係止可能となる。              
【００２１】
〔第４実施形態〕
第４実施形態の挟持具は、第２実施形態に記載の挟持具において、図４のように内筒２４fと一体に成型されたカム面３３fによって揺動する係止片３２fは、係止部３１fを係止する方向にはバネによる付勢で揺動し、係止が外れる方向にはカム面３３fが作用するように変更したものである。
【００２２】
〔第５実施形態〕
第５実施形態の挟持具は、第２実施形態に記載の挟持具において、図５のように内筒２４gと一体に成型されたカム面３３gによって揺動する係止片３２gは、係止部３１gを係止する方向にはカム面３３gが作用し、係止が外れる方向にはバネによる付勢で揺動するように変更したものである。
【００２３】
〔第６実施形態〕
第６実施形態の挟持具は、第２実施形態に記載の挟持具において、図６のように内筒２４hと一体に成型されたカム面３３hによって、係止片３２hは外筒２５hと一体に成型されたガイドに沿って直線運動する。また、係止部３１hを係止する方向にはカム面３３hが作用し、係止が外れる方向にはバネによる付勢で戻るように変更したものである。
【図面の簡単な説明】
【００２４】
【図１】発明３の動作を２段階で表す例図
【図２】発明４の実施例図
【図３】発明４の動作を２段階で表す例図、その１
【図４】発明４の動作を２段階で表す例図、その２
【図５】発明４の動作を２段階で表す例図、その３
【図６】発明４の動作を２段階で表す例図、その４
【図７】第１実施形態の動作を２段階で表す例図
【符号の説明】
【００２５】
１,２.                                 アーム
５,６.                                  回転中心軸線
９.                                      付勢部材
１１,１２.                          挟み部
１５,１６.                          指掛部
２２.                                  凹凸嵌合形状
２３.                                  鍵穴
２４.                                  内筒
２５.                                  外筒
２６.                                  ワイヤー
２７.                                  かしめリング
２８.                                  輪状部
２９.                                  掲示板
３０.                                  鍵
３１.                                  係止部
３２.                                  係止片
３３.                                  カム面
３４.                                  中間体
３５.                                  ギヤ機構
３６.                                  リング
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構は、一対となる鍵によって外筒の内側で前記第１回転中心軸線と同心で内筒が回転可能となるシリンダ錠であり、
前記第１アーム及び前記第２アームはそれぞれ前記内筒及び前記外筒に固定され、
前記錠機構が解錠状態の際に、前記第１指掛部及び前記第２指掛部の対が近づくように握ることで前記第１挟み部及び前記第２挟み部の対が開く、
挟持具。
【請求項２】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構は、
一対となる鍵によって外筒の内側で内筒が回転可能となるシリンダ錠と、
前記シリンダ錠を通る前記第１回転中心軸線と同心で回転可能である係止部と、
前記外筒に対する前記内筒の回転角度に応じて前記係止部を少なくとも一方向に回転不能に係止可能な係止片と、
を備え、
前記第１アーム及び前記第２アームはそれぞれ前記係止部及び前記外筒に固定され、
前記一方向とは前記第１挟み部及び前記第２挟み部の対が開く方向であり、
前記錠機構が解錠状態の際に、前記第１指掛部及び前記第２指掛部の対が近づくように握ることで前記第１挟み部及び前記第２挟み部の対が開く、
挟持具。
【手続補正２】
【補正対象書類名】明細書
【補正対象項目名】全文
【補正方法】変更
【補正の内容】
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心軸線が設けられ、握ることをやめると付勢部材によって挟み部が閉じられる構造のものが多い。
【０００３】
また、施錠装置においては、ワイヤーを被施錠部材に通してから係止するものや、アルファベットのユーの字状の部材に被施錠部材を通してから係止されるもの等がある。これらの施錠装置は、施錠を片手で簡便に行うことができるとはいい難いが、自転車に取り付けられる馬蹄形錠や、特許文献１のように自転車に取り付けてロッドによって遠隔操作するものや、特許文献２のように施錠の電動化を前提としたようなものなど、施錠を片手で簡便に行う為のアイデアがある。
【０００４】
【特許文献１】実開平５−０８６７７９号公報
【特許文献２】特開２００１−１７１５７２号公報
【発明の開示】
【発明が解決しようとする課題】
【０００５】
挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。
【０００６】
例えば、施錠を片手で簡便に行うことができることが望まれるが、構造が複雑になったり、予め自転車などに取り付ける手間が発生したり、施錠方法の自由度を奪うことになったりしないことも同時に望まれる。
【０００７】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【課題を解決するための手段】
【０００８】
発明１に係る挟持具は、例えば図１及び図２で説明すると、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
図１のように前記錠機構は、一対となる鍵３０によって外筒２５の内側で回転中心軸線５と同心で内筒２４が回転可能となるシリンダ錠であり、
アーム１及びアーム２はそれぞれ内筒２４及び外筒２５に固定され、
前記錠機構が解錠状態の際に、指掛部１５及び指掛部１６の対が近づくように握ることで挟み部１１及び挟み部１２の対が開く、
挟持具である。
【０００９】
発明２に係る挟持具は、例えば図２と、図３から図６のいずれかのように、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
前記錠機構は、
一対となる鍵３０によって外筒２５の内側で内筒２４が回転可能となるシリンダ錠と、
前記シリンダ錠を通る回転中心軸線５と同心で回転可能である係止部３１と、
外筒２５に対する内筒２４の回転角度に応じて係止部３１を少なくとも一方向に回転不能に係止可能な係止片３２と、
を備え、
アーム１及びアーム２はそれぞれ係止部３１及び外筒２５に固定され、
前記一方向とは挟み部１１及び挟み部１２の対が開く方向であり、
前記錠機構が解錠状態の際に、指掛部１５及び指掛部１６の対が近づくように握ることで挟み部１１及び挟み部１２の対が開く、
挟持具である。
【発明の効果】
【００１０】
以上のように本発明によると、指掛部１５及び指掛部１６を一握りするだけで、挟み部１１及び挟み部１２の対が開き、握るのをやめるだけで閉じるという簡便さを維持しながら、被挟持部材や本発明の挟持具が盗難にあいにくく、シンプルな構造で、施錠方法の自由度も大変高い挟持具を得ることができる。
【００１１】
さらに発明１によると、本発明の効果に加えて、内筒２４を回転中心軸線５の軸として使用可能になり、構造の単純化によるコストダウンやデザイン性、防塵構造による高耐久性等がえられる。また挟み部１１及び挟み部１２のサイズを比較的小さくできるので、自転車の車輪のスポークの隙間にアーム１及びアーム２を通して施錠する場合などは、より簡便な施錠装置をもった挟持具となる。
【００１２】
さらに発明２によると、本発明の効果に加えて、外筒２５に対して内筒２４を回転可能にするか否かを決める、シリンダ錠内の機構の強度にあまり依存せずに、挟み部１１及び挟み部１２の対をこじ開けられにくい施錠装置をもった挟持具を得ることができる。
【発明を実施するための最良の形態】
【００１３】
〔第１実施形態〕
図２及び図３において、ねじったりして無理矢理挟み部１１eと挟み部１２eの対をこじ開けることが困難になるように、挟み部１１eと挟み部１２eの対に凹凸嵌合形状２２eが設けられるアーム１eとアーム２eは、鋳鉄製でリング部の切削加工後、表面をビニールコーティングされている。
また、シリンダ錠はピンをタンブラにしたピンシリンダタイプであり、鋳鉄製の外筒２５eにはアーム２eのリング部が圧入嵌合されており、アーム１eのリング部が係止部３１eに圧入嵌合されている。係止部３１eは鋳鉄製で、外筒２５eに回転可能に挿入されてから回転中心軸線５e方向に抜き取れないように鉄製のリング３６eが外筒２５eに圧入嵌合される。内筒２４eと一体に成型されたカム面３３eによって揺動する係止片３２eは鋼鉄板を打ち抜き加工したもので、係止片３２eの揺動の中心軸は外筒２５eと一体に成型されている。
また、外筒２５eに挿入された付勢部材９eはバネ用ステンレス製のねじりコイルバネである。
【００１４】
また、ワイヤー２６eを格子戸等に通してからアーム１e又はアーム２eを輪状部２８eに通して施錠するなど、より施錠方法の自由度が高い施錠装置を得る為に、ワイヤー２６eの一端は外筒２５eの底側にかしめられている。ワイヤー２６eは複よりのステンレス線製ワイヤーにビニールチューブを被せたもので、ワイヤー２６eの輪状部２８eはステンレス製のかしめリング２７eによって形成されている。
【００１５】
また、ワイヤー２６eの両端に１つずつ同様の挟持具を設けて、２つの被施錠部材を連結することが容易となるようにされても良い。
【００１６】
〔第２実施形態〕
第２実施形態の挟持具は、第１実施形態に記載の挟持具において、図４のように内筒２４fと一体に成型されたカム面３３fによって揺動する係止片３２fは、係止部３１fを係止する方向にはバネによる付勢で揺動し、係止が外れる方向にはカム面３３fが作用するように変更したものである。
【００１７】
〔第３実施形態〕
第３実施形態の挟持具は、第１実施形態に記載の挟持具において、図５のように内筒２４gと一体に成型されたカム面３３gによって揺動する係止片３２gは、係止部３１gを係止する方向にはカム面３３gが作用し、係止が外れる方向にはバネによる付勢で揺動するように変更したものである。
【００１８】
〔第４実施形態〕
第４実施形態の挟持具は、第１実施形態に記載の挟持具において、図６のように内筒２４hと一体に成型されたカム面３３hによって、係止片３２hは外筒２５hと一体に成型されたガイドに沿って直線運動する。また、係止部３１hを係止する方向にはカム面３３hが作用し、係止が外れる方向にはバネによる付勢で戻るように変更したものである。
【図面の簡単な説明】
【００１９】
【図１】発明１の動作を２段階で表す例図
【図２】発明２の実施例図
【図３】発明２の動作を２段階で表す例図、その１
【図４】発明２の動作を２段階で表す例図、その２
【図５】発明２の動作を２段階で表す例図、その３
【図６】発明２の動作を２段階で表す例図、その４
【符号の説明】
【００２０】
１,２.                                 アーム
５,６.                                 回転中心軸線
９.                                      付勢部材
１１,１２.                          挟み部
１５,１６.                          指掛部
２２.                                  凹凸嵌合形状
２３.                                  鍵穴
２４.                                  内筒
２５.                                  外筒
２６.                                  ワイヤー
２７.                                  かしめリング
２８.                                  輪状部
３０.                                  鍵
３１.                                  係止部
３２.                                  係止片
３３.                                  カム面
３６.                                  リング
【手続補正３】
【補正対象書類名】図面
【補正対象項目名】図７
【補正方法】削除
【補正の内容】